(57)【要約】【課題】ＳＩＭカードのような加入者情報や電気通信事業者等の情報が格納されたメモリカードの交換をユーザが行うことなく、データ通信で利用する電気通信事業者を切り替えること。【解決手段】情報処理装置は、無線通信ネットワークの加入者情報及び電気通信事業者情報が記憶された複数のＳＩＭカード３２、３３、３４と、メモリカードと択一的に接続するＷＷＡＮカード３１とを備える。情報処理装置のＣＰＵ１１は、複数のＳＩＭカード３２、３３、３４の各々に格納されている電気通信事業者情報に基づいて、ＷＷＡＮカード３１と接続するＳＩＭカードを選択し、選択したＳＩＭカードがＷＷＡＮカード３１と接続されるように接続切替部２６を切り替える。【選択図】図１
2017135458.tif 000002
【特許請求の範囲】
【請求項１】
無線通信ネットワークの加入者情報及び電気通信事業者情報が記憶された複数のメモリカードと、
前記メモリカードと択一的に接続する通信モジュールと、
複数の前記メモリカードに格納されている前記電気通信事業者情報に基づいて、前記通信モジュールと接続する前記メモリカードを選択する制御手段と、
前記通信モジュールの接続先を前記制御手段によって選択された前記メモリカードに切り替える接続切替手段とを備える情報処理装置。
【請求項２】
位置情報を取得する位置情報取得手段を更に備え、
前記電気通信事業者情報は、電気通信事業者の運用地域情報を含み、
前記制御手段は、
各前記メモリカードの識別情報と電気通信事業者の運用地域情報とが関連付けられた搭載カード情報を用いて、前記位置情報取得手段によって取得された位置情報に対応する運用地域情報が格納されたメモリカードを選択する選択手段と、
前記選択手段によって選択された前記メモリカードを前記通信モジュールの接続先として設定する設定手段と
を備える請求項１に記載の情報処理装置。
【請求項３】
前記制御手段は、前記選択手段によって複数の前記メモリカードが選択された場合に、選択された複数の前記メモリカードの電気通信事業者情報をユーザに通知する通知手段を備える請求項２に記載の情報処理装置。
【請求項４】
前記搭載カード情報は、各前記メモリカードの優先順位を含み、
前記設定手段は、前記選択手段によって複数の前記メモリカードが選択された場合に、選択された前記メモリカードのうち、前記優先順位の最も高いメモリカードを前記通信モジュールの接続先として設定する請求項２に記載の情報処理装置。
【請求項５】
前記通信モジュールは、無線ワイド・エリア・ネットワークの通信規格に適合する請求項１から請求項４のいずれかに記載の情報処理装置。
【発明の詳細な説明】
【技術分野】
【０００１】
本発明は、情報処理装置に関するものである。
【背景技術】
【０００２】
ＷＷＡＮ（無線ワイド・エリア・ネットワーク）カードが搭載されたノートブック型携帯式コンピュータ（以下「ノートＰＣ」という。）等の情報処理装置は、携帯電話の通信網を利用して構築されたＷＷＡＮを介したデータ通信が可能である（例えば、特許文献１参照）。
【先行技術文献】
【特許文献】
【０００３】
【特許文献１】特開２０１３−１１０４８２号公報
【発明の概要】
【発明が解決しようとする課題】
【０００４】
一般的に、ノートＰＣに搭載されるＷＷＡＮカードは、１つのＳＩＭカード（Ｓｕｂｓｃｒｉｂｅｒ  Ｉｄｅｎｔｉｔｙ  Ｍｏｄｕｌｅ  Ｃａｒｄ：加入者識別モジュールカード）しかサポートしておらず、複数のＳＩＭカードには対応できない。したがって、例えば、ユーザがデータ通信で利用する電気通信事業者（キャリア）を切り替えたい場合には、その都度、ノートＰＣに搭載するＳＩＭカードを交換する必要があった。
また、ＳＩＭカードの交換を不要とするために、各ＳＩＭカードに対応するＷＷＡＮカードをそれぞれ搭載することも考えられるが、この場合、装置の大型化やコスト増大は免れない。
また、ノートＰＣに搭載する通信モジュールは、ＰＣＩ  Ｅｘｐｒｅｓｓ  Ｍ．２の規格に準拠することが規定されており、携帯電話機等に搭載されている通信モジュールをそのまま適用することは不可能である。
【０００５】
本発明は、このような事情に鑑みてなされたものであって、ＳＩＭカードのような加入者情報や電気通信事業者等の情報が格納されたメモリカードの交換をユーザが行うことなく、データ通信で利用する電気通信事業者を切り替えることのできる情報処理装置を提供することを目的とする。
【課題を解決するための手段】
【０００６】
本発明は、無線通信ネットワークの加入者情報及び電気通信事業者情報が記憶された複数のメモリカードと、前記メモリカードと択一的に接続する通信モジュールと、複数の前記メモリカードに格納されている前記電気通信事業者情報に基づいて、前記通信モジュールと接続する前記メモリカードを選択する制御手段と、前記通信モジュールの接続先を前記制御手段によって選択された前記メモリカードに切り替える接続切替手段とを備える情報処理装置を提供する。
【０００７】
本発明によれば、複数のメモリカードに格納されている電気通信事業者情報に基づいて、通信モジュールと接続するメモリカードが制御手段によって選択され、選択されたメモリカードと通信モジュールとが接続切替手段によって接続される。このように、通信モジュールと接続されるメモリカードが接続切替手段によって切り替えられるので、ユーザがメモリカードの交換を行うことなく、データ通信で利用する電気通信事業者を容易に切り替えることが可能となる。
【発明の効果】
【０００８】
本発明によれば、ＳＩＭカードのような電気通信事業者等の情報が格納されたメモリカードの交換をユーザが行うことなく、データ通信で利用する電気通信事業者を切り替えることができるという効果を有する。
【図面の簡単な説明】
【０００９】
【図１】本発明の一実施形態に係る情報処理装置の概略構成を示す機能ブロック図である。
【図２】ＭＣＣ／ＭＮＣ対応表の一例を示した図である。
【図３】本発明の一実施形態に係るＳＩＭ選択処理の処理手順を示したフローチャートである。
【図４】搭載ＳＩＭ情報の一例を示した図である。
【発明を実施するための形態】
【００１０】
以下に、本発明に係る情報処理装置の一実施形態について、図面を参照して説明する。本実施形態では、情報処理装置として、ノートＰＣを例示した場合について説明する。
【００１１】
図１は、本発明の一実施形態に係るノートＰＣ１０の概略構成を示す機能ブロック図である。ノートＰＣ１０は、例えば、ＣＰＵ（Ｃｅｎｔｒａｌ  Ｐｒｏｃｅｓｓｉｎｇ  Ｕｎｉｔ）１１、メインメモリ１２、記憶部１３、表示部１４、入力部１５、通信部１６、位置情報取得部１７を備えている。これら各部は直接的にまたはバスを介して間接的に相互に接続されている。
【００１２】
ＣＰＵ１１は、例えば、バスを介して接続された記憶部１３に格納されたＯＳ（Ｏｐｅｒａｔｉｎｇ  Ｓｙｓｔｅｍ）によりノートＰＣ１０全体の制御を行うとともに、記憶部１３に格納された各種プログラムを実行することにより各種処理、例えば、後述するＳＩＭ選択処理を実行する。
【００１３】
メインメモリ１２は、キャッシュメモリ、ＲＡＭ（Ｒａｎｄｏｍ  Ａｃｃｅｓｓ  Ｍｅｍｏｒｙ）等の書き込み可能なメモリで構成される。メインメモリ１２は、ＣＰＵ１１の実行プログラムの読み出し、実行プログラムによる処理データの書き込み等を行う作業領域として利用される。
【００１４】
記憶部１３は、例えば、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、フラッシュメモリ等であり、例えば、Ｗｉｎｄｏｗｓ（登録商標）、ｉＯＳ（登録商標）、Ａｎｄｒｏｉｄ（登録商標）等のノートＰＣ１０全体の制御を行うためのＯＳ、周辺機器類をハードウェア操作するための各種ドライバ、特定業務に向けられたアプリケーション、及び各種データやファイル等を格納する。
【００１５】
また、記憶部１３には、後述するＳＩＭカード選択処理を実現するためのプログラムや、ＳＩＭカード選択処理を実現するために必要とされる各種データが格納されている。より具体的には、記憶部１３には、図２に示されるようなＭＣＣ／ＭＮＣ対応表が格納されている。ここで、ＭＣＣ（Ｍｏｂｉｌｅ  Ｃｏｕｎｔｒｙ  Ｃｏｄｅ）は、電気通信事業者の運用地域を示すコードであり、ＭＮＣ（Ｍｏｂｉｌｅ  Ｎｅｔｗｏｒｋ  Ｃｏｄｅ）は電気通信事業者を識別するコードである。図２にＭＣＣ／ＭＮＣ対応表の一例を示す。図２に示すように、ＭＣＣ／ＭＮＣ対応表は、ＭＣＣ及びＭＮＣの組み合わせと、電気通信事業者（キャリア）及び電気通信事業者の運用地域情報（国・地域）とが関連付けられた情報である。
表示部１４は、例えば、液晶表示装置であり、ＣＰＵ１１の制御に従って表示を行う。
入力部１５は、例えば、キーボード、マウス等であり、ユーザが入力操作を行うのに使用される。
【００１６】
通信部１６は、例えば、チップセット２１、第１カードスロット２２、複数の第２カードスロット２３、２４、２５、及び接続切替部２６等を備えている。
チップセット２１は、サウスブリッジとして機能するサブチップであり、例えば、ＳＡＴＡ、ＵＳＢ、ＰＣＩ  Ｅｘｐｒｅｓｓなどを内蔵している。
チップセット２１には、第１カードスロット２２が接続されている。第１カードスロット２２には、通信モジュールとして、例えば、４Ｇカードまたは３ＧカードのいずれかのＷＷＡＮカード３１が装着される。
第２カードスロット２３、２４、２５の各々には、無線通信ネットワークの加入者情報等が記憶されたメモリカードが装着される。本実施形態では、メモリカードとして、ＳＩＭカード（Ｓｕｂｓｃｒｉｂｅｒ  Ｉｄｅｎｔｉｔｙ  Ｍｏｄｕｌｅ  Ｃａｒｄ）３２、３３、３４が装着される。なお、本実施形態では、第２カードスロットを３つ有する場合について例示しているが、第２カードスロットの数については２以上であればよく、数は特に限定されない。
【００１７】
ＳＩＭカード３２、３３、３４には、無線通信ネットワークの加入者情報として、例えば、加入者の住所、氏名、加入契約内容等のユーザの属性情報、アドレス、電話番号等が格納されている。更に、ＳＩＭカード３２、３３、３４には、電気通信事業者情報としてＭＣＣ及びＭＮＣ等が格納されている。
【００１８】
第１カードスロット２２と第２カードスロット２３、２４、２５との間には、ＷＷＡＮカード３１の接続先となるＳＩＭカードを切り替えるための接続切替部２６が設けられ、接続切替部２６によって、ＷＷＡＮカード３１が、いずれかのＳＩＭカード３２、３３、３４と択一的に接続される。接続切替部２６は、例えば、マルチプレクサ、アナログスイッチ等で構成される。
位置情報取得部１７は、現在位置を取得する。具体的には、位置情報取得部１７は、ＧＰＳ（Ｇｌｏｂａｌ  Ｐｏｓｉｔｉｏｎｉｎｇ  Ｓｙｓｔｅｍ）またはネットワークからの情報（例えば、基地局情報等）から位置情報を取得する処理部等によって構成される。
【００１９】
次に、ノートＰＣ１０によって実行されるＳＩＭ選択処理について図３を参照して説明する。図３は、ＳＩＭ選択処理の処理手順を示したフローチャートである。図３に示した各種処理は、例えば、ＣＰＵ１１（制御手段）が記憶部１３に格納されたＳＩＭ選択プログラムを実行することにより実現される。ＳＩＭ選択処理は、例えば、ノートＰＣ１０の起動時に実行される。
【００２０】
まず、第２カードスロット２３〜２５に装着されているＳＩＭカード３２〜３４のＭＣＣ／ＭＮＣをそれぞれ読み出し（ステップＳＡ１）、読み出したＭＣＣ／ＭＮＣに対応する国・地域および電気通信事業者の情報を記憶部１３に格納されているＭＣＣ／ＭＮＣ対応表から取得する（ステップＳＡ２）。続いて、取得した国・地域及び電気通信事業者の情報をＳＩＭカードの識別情報と関連付けた搭載ＳＩＭ情報を作成する（ステップＳＡ３）。
【００２１】
図４に、搭載ＳＩＭ情報の一例を示す。図４では、第２カードスロット２３に「米国」の電気通信事業者Ａの情報が格納されたＳＩＭカード３２が装着され、第２カードスロット２４に「日本」の電気通信事業者Ｂの情報が格納されたＳＩＭカード３３が装着され、第２カードスロット２５に「中国」の電気通信事業者Ｃの情報が格納されたＳＩＭカード３４が装着された場合の搭載ＳＩＭ情報を例示している。
【００２２】
次に、搭載ＳＩＭ情報を参照して、位置情報取得部１７によって取得された位置情報に対応する国・地域情報を有するＳＩＭカードを選択する（ステップＳＡ４：選択手段）。例えば、位置情報取得部１７によって取得された位置情報が日本国内であれば、図４に示した搭載ＳＩＭ情報から第２カードスロット２４のＳＩＭカード３３を選択する。
続いて、ステップＳＡ４において選択したＳＩＭカードが一つであるか否かを判定し（ステップＳＡ５）、一つであった場合には（ステップＳＡ５において「ＹＥＳ」）、選択したＳＩＭカードをＷＷＡＮカードの接続先として設定する（ステップＳＡ６：設定手段）。一方、選択したＳＩＭカードが複数存在した場合には（ステップＳＡ５において「ＮＯ」）、選択したＳＩＭカードの電気通信事業者情報を表示部１４に表示させ、ユーザに通知する（ステップＳＡ７：通知手段）。そして、ユーザによっていずれか一つのＳＩＭカードを選択する入力情報が入力部１５から入力された場合に、ユーザによって選択されたＳＩＭカードをＷＷＡＮカードの接続先として設定する（ステップＳＡ８：設定手段）。このようにして、一つのＳＩＭカードが設定されると、この設定指示に基づいて、接続切替部２６が、ＷＷＡＮカードの接続先をステップＳＡ６またはステップＳＡ８で設定されたＳＩＭカードに切り替える（ステップＳＡ９）。
【００２３】
これにより、ＷＷＡＮカード３１といずれか一つのＳＩＭカードとが電気的に接続されることとなる。この状態でＷＷＡＮカードが動作を開始することにより、現在の地域に適したＷＷＡＮを利用したデータ通信等が可能となる。
【００２４】
以上説明したように、本実施形態に係る情報処理装置によれば、複数のＳＩＭカード３２〜３５を装着する複数の第２カードスロット２３〜２５を備え、複数のＳＩＭカード３２〜３５の各々に格納されている電気通信事業者情報と位置情報取得部１７によって取得された位置情報とに基づいていずれか一つのＳＩＭカードを選択し、選択したＳＩＭカードとＷＷＡＮカードとを接続するので、ユーザがＳＩＭカードを交換することなく、現在の地域に適合するＳＩＭカードに切り替えることが可能となる。
【００２５】
以上、上記実施形態を用いて本発明について説明してきたが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。
【００２６】
例えば、上述の実施形態では、複数のＳＩＭカードが選択された場合に、ユーザにいずれか一つのＳＩＭカードを選択させることとしたが、これに代えて、各ＳＩＭカードの優先順位を予め登録しておき、複数のＳＩＭカードが選択された場合には、最も優先順位の高いＳＩＭカードを選択するようにしてもよい。
【符号の説明】
【００２７】
１０  ノートＰＣ（情報処理装置）
１１  ＣＰＵ
１２  メインメモリ
１３  記憶部
１４  表示部
１５  入力部
１６  通信部
１７  位置情報取得部
２１  チップセット
２２  第１カードスロット
２３〜２５  第２カードスロット
３１  ＷＷＡＮカード
３２〜３４  ＳＩＭカード
【図１】
2017135458.tif 000003
【図２】
2017135458.tif 000004
【図３】
2017135458.tif 000005
【図４】
2017135458.tif 000006
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
無線通信ネットワークの加入者情報及び電気通信事業者の運用地域を識別する地域識別情報が記憶された複数のメモリカードと、
前記メモリカードと択一的に接続する通信モジュールと、
位置情報を取得する位置情報取得手段と、
前記地域識別情報と前記電気通信事業者の運用地域情報とが関連付けられた対応情報及び各前記メモリカードに記憶された前記地域識別情報を用いて、各前記メモリカードの識別情報と前記電気通信事業者の運用地域情報とが関連付けられた搭載カード情報を作成する搭載カード情報作成手段と、
前記搭載カード情報を用いて、前記位置情報取得手段によって取得された位置情報を含む前記運用地域情報が関連付けられている前記メモリカードを選択する選択手段と、
前記通信モジュールの接続先を前記選択手段によって選択された前記メモリカードに切り替える接続切替手段とを備える情報処理装置。
【請求項２】
前記位置情報取得手段は、グローバル・ポジショニング・システムである請求項１に記載の情報処理装置。
【請求項３】
前記選択手段によって複数の前記メモリカードが選択された場合に、選択された複数の前記メモリカードの電気通信事業者情報をユーザに通知する通知手段を備える請求項１または請求項２に記載の情報処理装置。
【請求項４】
前記搭載カード情報は、各前記メモリカードの優先順位を含み、
前記接続切替手段は、前記選択手段によって複数の前記メモリカードが選択された場合に、選択された前記メモリカードのうち、前記優先順位の最も高いメモリカードを前記通信モジュールの接続先とする請求項１または請求項２に記載の情報処理装置。
【請求項５】
前記通信モジュールは、無線ワイド・エリア・ネットワークの通信規格に適合する請求項１から請求項４のいずれかに記載の情報処理装置。
【手続補正２】
【補正対象書類名】明細書
【補正対象項目名】０００６
【補正方法】変更
【補正の内容】
【０００６】
本発明は、無線通信ネットワークの加入者情報及び電気通信事業者の運用地域を識別する地域識別情報が記憶された複数のメモリカードと、前記メモリカードと択一的に接続する通信モジュールと、位置情報を取得する位置情報取得手段と、前記地域識別情報と前記電気通信事業者の運用地域情報とが関連付けられた対応情報及び各前記メモリカードに記憶された前記地域識別情報を用いて、各前記メモリカードの識別情報と前記電気通信事業者の運用地域情報とが関連付けられた搭載カード情報を作成する搭載カード情報作成手段と、前記搭載カード情報を用いて、前記位置情報取得手段によって取得された位置情報を含む前記運用地域情報が関連付けられている前記メモリカードを選択する選択手段と、前記通信モジュールの接続先を前記選択手段によって選択された前記メモリカードに切り替える接続切替手段とを備える情報処理装置を提供する。